(57)【要約】【課題】既存の自動装置で使用されることができる新たなキャリアを提供することである。【解決手段】キャリアは、向かい合った第１及び第２の側壁、底壁、上壁を備える。キャリアは、キャリア内に物品の一部を保持するための物品保持装置を備える。物品保持装置は、前記底壁及び前記第１の側壁から部分的に形成される。物品保持装置は、物品と係合するための係止タブと、前記物品を保護するための少なくとも１つの保護フラップと、を備える。係止タブ及び保護フラップは開口部を規定し、当該開口部を通じて前記物品の一部が突出する。【選択図】図１
2016124605.tif 000002
【特許請求の範囲】
【請求項１】
向かい合った第１及び第２の側壁と、底壁と、上壁とを備えるキャリアであって、
前記キャリアは、前記キャリア内に物品の一部を保持するための少なくとも１つの物品保持装置を備え、
前記少なくとも１つの物品保持装置は、前記底壁及び前記第１の側壁から部分的に形成され、
前記少なくとも１つの物品保持装置は、物品と係合するための係止タブと、前記物品を保護するための少なくとも１つの保護フラップとを備え、
前記係止タブ及び前記保護フラップは、前記キャリアにおいて開口部を規定し、前記開口部を通じて前記物品の一部が突出することを特徴とする、キャリア。
【請求項２】
前記係止タブは、前記底壁にヒンジ接続されることを特徴とする請求項１に記載のキャリア。
【請求項３】
前記少なくとも１つの物品保持装置は、前記係止タブにヒンジ接続された係止フラップを備える、請求項１又は２に記載のキャリア。
【請求項４】
前記キャリアは、前記第１の側壁と前記底壁との間に配置された第１の傾斜パネルを備え、前記物品保持装置は、前記第１の傾斜パネルから少なくとも部分的に打ち抜き加工される、請求項１〜３のいずれか一項に記載のキャリア。
【請求項５】
前記少なくとも１つの保護タブは、前記第１の傾斜パネル及び前記第１の側壁から部分的に打ち抜き加工される、請求項１〜４のいずれか一項に記載のキャリア。
【請求項６】
前記物品保持装置は、３つの保護フラップを備え、第１の保護フラップ及び第２の保護フラップは、第３の保護フラップの反対側で、互いに対して反対向きにヒンジ接続される、請求項１〜５のいずれか一項に記載のキャリア。
【請求項７】
前記第３の保護フラップは、前記第１の保護フラップ及び前記第２の保護フラップに対して垂直に配置される、請求項６に記載のキャリア。
【請求項８】
前記キャリアは、前記第１の側壁と前記底壁との間に配置された第１の傾斜パネルを備え、前記物品保持装置は、前記第１の傾斜パネルから少なくとも部分的に打ち抜き加工される、請求項１〜７のいずれか一項に記載のキャリア。
【請求項９】
前記少なくとも１つの保護タブは、前記物品保持装置内で物品を受容するのに応じて外部へ折り曲げ可能である、請求項１に記載のキャリア。
【請求項１０】
前記係止タブは、直線状ではない折り目線によって前記底壁にヒンジ接続される、請求項１〜９のいずれか一項に記載のキャリア。
【請求項１１】
前記直線状ではない折り目線は弓形状である、請求項１０に記載のキャリア。
【請求項１２】
前記キャリアは、巻き付き型であり、複合的な底壁を備え、前記上壁は、前記向かい合った第１及び第２の側壁のそれぞれに折り曲げ可能に接合され、単一のパネル材料から形成される、請求項１〜１１のいずれか一項に記載のキャリア。
【請求項１３】
第１の側壁と、反対側の第２の側壁と、底壁と、上壁とを形成するための複数のパネルを備えるキャリアを形成するためのブランクであって、
前記ブランクは、物品の一部を保持するための少なくとも１つの物品保持装置を備え、
前記少なくとも１つの物品保持装置は、前記底壁を形成するパネル及び前記第１の側壁を形成するパネルから部分的に形成され、
前記少なくとも１つの物品保持装置は、物品と係合するための係止タブと、前記物品を保護するための少なくとも１つの保護フラップと、を備え、
前記係止タブ及び前記保護フラップは開口部を規定し、当該開口部を通じて前記物品の一部が突出することができる、ブランク。
【発明の詳細な説明】
【技術分野】
【０００１】
本願発明は、集団化した物品の配置構成を備える消費者包装を形成するための巻き付き型キャリアに関し、より具体的には、独占的ではないが、物品保持装置を備えるキャリアに関する。
【背景技術】
【０００２】
包装の技術分野において、複数の主要な製品容器を備える包装を消費者に提供することは多くの場合に必要とされる。そのようなマルチパックは、輸送及び流通のために、且つ販売促進用の情報の表示のために望まれている。巻き付き型キャリアは、周知である。準備されたブランクシート材料は、ボトルなどの物品の集団化された配置構成の上部に配置され、ブランクは次いで折り曲げられ、物品の集団化された配置構成に関してきつく巻き付けられ、複合的な底壁構造は、物品の集団化された配置構成に関して組み立てられた巻き付き型キャリアをきつく保持するために構成される。ハンドル又は把持手段は一般的に、キャリアの上部パネルに設けられる。それによって、包装（キャリア及び集団化された物品）が購入のために、又は家まで運ぶために消費者によって好都合に持ち上げられることができる。キャリアの側部パネルは、ブランドの画像、他の宣伝、及び販売促進用の印の高品質な印刷のための領域を提供する。
【発明の概要】
【発明が解決しようとする課題】
【０００３】
巻き付き型キャリアにとって、物品の集団化された配置構成をしっかりと保持することは望ましい。キャリアが集団のまわりにきつく巻き付けられていない場合に、又は、物品がキャリア内で移動することができる場合に、その結果、包装の一体性が損なわれ、包装が機能しなくなり、その結果として、物品が落下し、壊れる可能性がある。
【０００４】
既存の自動装置の変更及び大幅な変更が必要されないように、巻き付き型キャリアが既存の自動装置で組み立てられることができる場合にも望まれている。
【０００５】
費用及び環境面を考慮すると、そのようなキャリアが可能な限り少ない材料から形成され、可能な限りそれらが形成される材料の廃材が少なくなる場合に好ましい。他の考慮は、物品の重い重量を保持し、且つ輸送するための包装の強度及びその適合性である。
【課題を解決するための手段】
【０００６】
本願発明は、周知な巻き付き型キャリアに対する改良物又は代替物である新しいキャリアを提供しようとしている。
【０００７】
本願発明の第１の態様によれば、向かい合った第１及び第２の側壁と、底壁と、上壁とを備えるキャリアが提供される。キャリアは、キャリア内に物品の一部を保持するための少なくとも１つの物品保持装置を備える。少なくとも１つの物品保持装置は底壁及び第１の側壁から部分的に形成される。少なくとも１つの物品保持装置は、物品と係合するための係止タブと、前記物品を保護するための少なくとも１つの保護フラップとを備える。係止タブ及び保護フラップは、前記キャリアにおいて開口部を規定することができ、前記開口部を通じて前記物品の一部が突出することができる。
【０００８】
任意選択的に、係止タブは底壁にヒンジ接続される。
【０００９】
任意選択的に、係止タブは、それにヒンジ接続された係止フラップを備える。
【００１０】
いくつかの実施形態において、キャリアは、第１の側壁と底壁との間に配置された第１の傾斜パネルを備え、物品保持装置は第１の傾斜パネルから少なくとも部分的に打ち抜き加工される。
【００１１】
任意選択的に、少なくとも１つ保護タブは、第１の傾斜パネル及び第１の側壁から部分的に打ち抜き加工される。
【００１２】
いくつかの実施形態において、物品保持装置は３つの保護フラップを備え、第１及び第２の保護フラップは、第３の保護フラップの反対側で、互いに対して反対向きにヒンジ接続される。
【００１３】
任意選択的に、第３の保護フラップは、第１の保護フラップ及び第２の保護フラップに対して垂直に配置される。
【００１４】
任意選択的に、キャリアは、第１の側壁と底壁との間に配置された第１の傾斜パネルを備え、物品保持装置は、第１の傾斜パネルから少なくとも部分的に打ち抜き加工される。
【００１５】
少なくとも１つの保護タブは、物品保持装置内で物品を受容するのに応じて外部へ折り曲げられてもよい。
【００１６】
任意選択的に、係止タブは、直線状ではない折り目線によって底壁にヒンジ接続される。
【００１７】
いくつかの実施形態において、直線状ではない折り目線は弓形状である。
【００１８】
任意選択的に、キャリアは、巻き付き型であり、複合的な底壁を備え、上壁は、前記第１及び第２の向かい合った側壁のそれぞれに折り曲げ可能に接合され、単一のパネル材料から形成される。
【００１９】
本願の第２の態様によれば、第１の側壁と、反対側の第２の側壁と、底壁と、上壁とを形成するための複数のパネルを備えるキャリアを形成するためのブランクが提供される。ブランクは、物品の一部を保持するための少なくとも１つの物品保持装置を備える。少なくとも１つの物品保持装置は、底壁を形成するパネル及び第１の側壁を形成するパネルから部分的に形成される。少なくとも１つの物品保持装置は、物品と係合するための係止タブと、物品を保護するための少なくとも１つの保護フラップと、を備えている。係止タブ及び保護フラップは開口部を規定することができ、前記ブランクがキャリアに組み立てられ、且つ前記物品が供給された場合に、当該開口部を通じて前記物品の一部が突出することができる。
【００２０】
この出願の技術的範囲内で、先行する段落、特許請求の範囲及び／又は以下の説明及び図面において提示された様々な態様、実施形態、例示、特徴、及び代替物が、単独で、又はその組み合わせで採用され得ることが予想される。例えば、一の実施形態に関連して記載された特徴は、特徴の不適合性が存在しない場合に限り、全ての実施形態に適用可能である。
【００２１】
本願発明の例示的な実施形態は、添付した図面を参照して記載されるであろう。
【図面の簡単な説明】
【００２２】
【図１】本願の第１の実施形態による巻き付き型キャリアを形成するブランクの平面図である。
【図１Ａ】図１のブランクに設けられた保持装置の拡大図である。
【図２】図１のブランクから形成されたキャリア及びそこに固定された物品の集団化した配置構成を備える包装を上から見た斜視図である。
【図３】図２の包装の側面図である。
【図４】図３に示された包装の一部の拡大図である。
【図５】包装の底部によって視覚から見えなくなった物品の一部が図示された目的で鎖線で示される、図２の包装の一部の底面図である。
【図６】図５に示されたラインＸ−Ｘに沿った断面図である。
【図７】本願発明の第２の実施形態による巻き付き型キャリアを形成するためのブランクの平面図である。
【図７Ａ】図７のブランクで設けられた保持装置の拡大図である。
【図８】図７のブランクから形成されたキャリア及びそこに固定された物品の集団化した配置構成を備える包装の側面図である。
【図９】図８に示された包装の一部の拡大図である。
【発明を実施するための形態】
【００２３】
包装、ブランク、及びキャリアの特定の実施形態の詳細な説明が本願に開示される。開示された実施形態が、本願発明のいくつかの態様が実施されることができ、且つ本願が実現されることができる全ての方法の網羅的なリストを示していない単なる例示であることは理解されるであろう。本願明細書に使用されるように、「例示的な」との用語は、図示、見本、モデル、又はパターンとして機能する実施形態に言及されるように幅広く使用される。実際に、本願明細書に記載される包装、ブランク、及びキャリアが様々な形態及び代替的な形態で実現されてもよいことは理解されるであろう。図面は必ずしも縮尺どおりではなく、いくつかの特徴が特定の構成要素の詳細を示すために誇張または最小化されてもよい。周知の構成要素、材料、又は方法は必ずしも、本願の開示を不明りょうにすることを避けるために詳細に記載されない。本願明細書に開示された特定の構造的な詳細及び機能的な詳細は、限定として解釈されるべきではないが、特許請求の範囲の根拠として、及び、本願発明をさまざまに採用するために当業者に教示するための代表的な根拠として解釈されるべきである。
【００２４】
本願明細書に詳細に記載される実施形態において、「カートン」との用語及び「キャリア」との用語は、本願発明の様々な特徴を図示する限定しない目的で、製品容器などの物品を係合して運ぶための容器について言及する。本願発明の教示が様々な製品容器に適用されることができることは熟慮され、これらの製品容器は、テーパー付きであってもよく、テーパー付きでなくてもよい、又は円柱形であってもよく、円柱形でなくてもよい。例示的な容器は、ボトル（例えば、金属製ボトル、ガラス製ボトル、又はプラスチック製ボトル）、缶（例えば、アルミ缶）、ブリキ缶、パウチ、パケット（ｐａｃｋｅｔ）及び同様のものを含む。任意選択的に、本願発明に詳細に記載される実施形態のキャリアは、プルリング又はそこに一体的に関連した他の開放装置を有する上部蓋又は上部キャップを有するボトルなどの物品を包囲して保持するために有益に使用される。
【００２５】
図１を参照すると、巻き付き型キャリア９０を形成するためのブランク１０が示される（図２〜図６を参照する）。ブランク１０は、適切な基板のシートから形成される。本願明細書で使用されるような「適切な基板」との用語が、ボール紙、段ボール、厚紙、プラスチック、及びそれらの組み合わせ、並びに同様のもの等のあらゆる種類の折り畳み可能なシート材料を含むことは、理解されるべきである。例えば、以下のより詳細に記載されたキャリア構造を提供するために、適切な場合に、１つ又は複数のブランクが採用されることができることは、認識されるべきである。
【００２６】
例示的な実施形態において、ブランク１０は、例示的な物品「Ｃ」の例示的な配置構成を包装するためのキャリア９０を形成するように構成される。第１の例示的な実施形態において、配置構成は、３×２のマトリックスであり、物品は缶「Ｃ」であり、缶のそれぞれは、基部／上部で縁（ｃｈｉｍｅ）又は先端面取り部（ｂｅｖｅｌ）を有する。缶「Ｃ」は、一体型プルタブ式アクセス装置又はステイオンタブ式アクセス装置を備えてもよい。他の実施形態において、ブランク１０は代替的に、他の種類、他の数、及び他のサイズの物品を包装するためのキャリア、及び／又は異なる数、異なる配置構成又は構成で物品を包装するためのキャリアを形成するように構成される。
【００２７】
図１に示されるように、ブランク１０は、一連の主要なパネル１２、１４、１６、１８、２０、２２、２４を備える。これらのパネルは、第１の底パネル１２、任意選択的な第１の傾斜パネル１４、第１の側部パネル１６、上部パネル１８、第２の側部パネル２０、任意選択的な第２の傾斜パネル２２、及び第２の底パネル２４を含む。主要なパネル１２、１４、１６、１８、２０、２２、２４は、長手方向に延在する折り目線１３、１５、１７、１９、２１、及び２３によって連続して隣同士でヒンジ接続される。
【００２８】
第１及び第２の底パネル１２、２４は、機械的ロッキング機構Ｆ１／Ｍ１のそれぞれである第１及び第２の部分Ｆ１、Ｍ１を備える。この機械的ロッキング機構Ｆ１／Ｍ１は、ブランク１０が折り曲げられ、複合的な底壁構造１２／２４を形成するようにキャリア９０の形になる場合に、第１の底パネル１２を第２の底パネル２４に機械的に接合するのに役立つ。機械的ロッキング機構Ｆ１／Ｍ１の図示した第１及び第２の部品Ｆ１、Ｍ１は、当該技術分野で周知である。しかしながら、機械的ロッキング機構が任意選択的であることが認識されており、他の配置構成及び実施形態において、異なる種類の機械的ロッキング機構と置き換えられてもよく、異なる種類のロッキング特徴又は連結特徴、例えば接着剤又はテープと置き換えられてもよい。さらに、他の配置構成において、複合的な底壁構造は、異なるサイズのパネルから形成されてもよく、且つ／又は、本願に示されたパネルと異なって形成されてもよい。複合的な底壁構造の提供は、形成された場合に、キャリア９０が編成された物品集団のまわりにきつく巻きつけられることを可能にし、キャリア９０内にそれらの物品をきつく梱包することを可能にする。この方法において、キャリア９０は、端部壁を提供することによって、集団の物品を完全に包囲することなく集団の物品をしっかりと含有することができる。
【００２９】
任意選択的に、ブランク１０は、キャリア９０の位置合わせ及び組立を容易にするための複数の孔Ａ１、Ａ２、Ａ３、Ａ４も備えてもよい。一対の第１の孔Ａ１は、第１の底パネル１２に設けられる。一対の第１の孔Ａ１のそれぞれは、略三角形状である。一対の第２の孔Ａ２は、第２の底パネル２４に設けられる。一対の第２の孔Ａ２のそれぞれは、略三角形状である。第３の孔Ａ３は、第１の底パネル１２に設けられる。第４の孔Ａ４は、第２の底パネル２４に設けられる。
【００３０】
任意選択的な凹部Ｒ１は、第２の底パネル２４の自由端部縁から打ち抜き加工される。自由端部縁は、第２の底パネル２４と第２の傾斜パネル２２との間の折り目線２３と反対側にある。凹部Ｒ１はまた、キャリア９０の位置合わせ及び組立を容易にするために採用されてもよい。
【００３１】
ブランク１０はまた、キャリア開放装置Ｔ１／Ｔ２を備えてもよい。このキャリア開放装置Ｔ１／Ｔ２は任意選択的に、上部パネル１８に設けられており、一対の引裂き線Ｔ１、Ｔ２として任意選択的に形成される。この一対の引裂き線Ｔ１及びＴ２は、引裂き線Ｔ１及びＴ２の間で引裂きストリップを規定する。他の実施形態において、任意選択的なキャリア開放装置Ｔ１／Ｔ２が全体的に省略されてもよいこと、又はキャリア開放装置Ｔ１／Ｔ２が本願に示されるものと異なる形態、サイズ、形状、及び／又は位置を取ってもよいこと、及び／又は２つ以上のキャリア開放装置Ｔ１／Ｔ２が設けられてもよいことは予測される。
【００３２】
ブランク１０はまた、上部パネル１８に設けられた把持装置Ｈ１／Ｈ２を備えてもよい。この配置構成において、把持装置Ｈ１／Ｈ２は、２つの向かい合って位置付けられたフィンガータブ４２であって、同様に寸法決めされ、且つ同様に形成されたフィンガータブ４２を備えており、これらのフィンガータブ４２は、略半円状の切断線４８（弱化線）及びヒンジ線４０によって規定される。フィンガータブ４２は、キャリア９０の内部へのフィンガータブ４２の折り曲げを容易にするための任意選択的な折り目線４４、４６を備えてもよい。フィンガータブ４２は、上部パネル１８の内部へ押圧されることができ、且つ単純な手段を提供することができ、その単純な手段によって、キャリア９０の使用者は、キャリア９０を持ち上げ且つ輸送するためにキャリア９０を掴むことができる、又は把持することができる。他の実施形態において、任意選択的な把持装置Ｈ１／Ｈ２が全体的に省略されてもよいこと、又は、把持装置Ｈ１／Ｈ２が本願に示されるものと異なる形態、サイズ、形状、及び／又は位置を取ってもよいこと、及び／又は２つ以上の把持装置Ｈ１／Ｈ２が設けられてもよいことは予測される。
【００３３】
ブランク１０はまた、端部閉鎖パネルを備えてもよい。図示された実施形態において、第１の端部閉鎖パネル３２ａ及び第２の端部閉鎖パネル３４ａは、上部パネル１８の第１側縁部にヒンジ接続される。第３の端部閉鎖パネル３２ｂ及び第４の端部閉鎖パネル３４ｂは、上部パネル１８の第２側縁部にヒンジ接続される。第１、第２、第３、及び第４の端部閉鎖パネル３２ａ、３２ｂ、３４ａ、３４ｂのそれぞれは、複数の主要パネル１２、１４、１６、１８、２０、２２、２４によって形成された管状構造の各開放端部を少なくとも部分的に閉鎖する。
【００３４】
第１の端部閉鎖パネル３２ａは、折り目線３３ａによって上部パネル１８にヒンジ接続される。第１の端部閉鎖パネル３２ａは、折り目線３１ａによって第１のウェブパネル３０ａにヒンジ接続される。第１のウェブパネル３０ａは、折り目線２９ａによって第１の係止パネル２８ａにヒンジ接続される。折り目線２９ａは、切断線３５ａによって中断される。任意選択的に、切断線３５ａは、略「Ｕ」字形状である。第１の係止パネル２８ａは、折り目線２７ａによって第１の側部パネル１６にヒンジ接続される。孔Ａ５は、ブランク１０から打ち抜き加工される。孔５Ａは、第１の側部パネル１６、上部パネル１８、第１の係止パネル２８ａ、第１のウェブパネル３０ａ、及び第１の端部閉鎖パネル３２ａから部分的に打ち抜き加工される。
【００３５】
第２の端部閉鎖パネル３４ａは、折り目線３７ａによって上部パネル１８にヒンジ接続される。第２の端部閉鎖パネル３４ａは、折り目線３９ａによって第２のウェブパネル３６ａにヒンジ接続される。第２のウェブパネル３６ａは、折り目線４１ａによって第２の係止パネル３８ａにヒンジ接続される。折り目線４１ａは、切断線４３ａによって中断される。任意選択的に、切断線４３ａは、略「Ｕ」字形状である。第２の係止パネル３８ａは、折り目線４５ａによって第２の側部パネル２０にヒンジ接続される。孔Ａ７は、ブランク１０から打ち抜き加工される。孔Ａ７は、第２の側部パネル２０、上部パネル１８、第２の係止パネル３８ａ、第２のウェブパネル３６ａ及び第２の端部閉鎖パネル３４ａから部分的に打ち抜き加工される。
【００３６】
第３の端部閉鎖パネル３２ｂは、折り目線３３ｂに上部パネル１８にヒンジ接続される。第３の端部閉鎖パネル３２ｂは、折り目線３１ｂによって第３のウェブパネル３０ｂにヒンジ接続される。第３のウェブパネル３０ｂは、折り目線２９ｂによって第３の係止パネル２８ｂにヒンジ接続される。折り目線２９ｂは、切断線３５ｂによって中断される。任意選択的に、切断線３５ｂは、略「Ｕ」字形状である。第３の係止パネル２８ｂは、折り目線２７ｂによって第１の側部パネル１６にヒンジ接続される。孔Ａ６は、ブランク１０から打ち抜き加工される。孔Ａ６は、第１の側部パネル１６、上部パネル１８、第３の係止パネル２８ｂ、第３のウェブパネル３０ｂ及び第３の端部閉鎖パネル３２ｂから部分的に打ち抜き加工される。
【００３７】
第４の端部閉鎖パネル３４ｂは、折り目線３７ｂによって上部パネル１８にヒンジ接続される。第４の端部閉鎖パネル３４ｂは、折り目線３９ｂによって第４のウェブパネル３６ｂにヒンジ接続される。第４のウェブパネル３６ｂは、折り目線４１ｂによって第４の係止パネル３８ｂにヒンジ接続される。折り目線４１ｂは、切断線４３ｂによって中断される。任意選択的に、切断線４３ｂは、略「Ｕ」字形状である。第４の係止パネル３８ｂは、折り目線４５ｂによって第２の側部パネル２０にヒンジ接続される。孔Ａ８は、ブランク１０から打ち抜き加工される。孔Ａ８は、第２の側部パネル２０、上部パネル１８、第４の係止パネル３８ｂ、第４のウェブパネル３６ｂ及び第４の端部閉鎖パネル３４ｂから部分的に打ち抜き加工される。
【００３８】
ブランク１０はまた、物品「Ｃ」の底部と係合するための物品保持装置Ｌ１、Ｌ２、Ｌ３、Ｌ４、Ｌ５、Ｌ６を備える。ブランク１０が３つの物品ずつ２列で６つの物品を保持するためのキャリア９０を形成するように構成される任意選択的な配置構成において、３つの物品保持装置Ｌ１、Ｌ２、Ｌ３は、第１の底パネル１２と第１の側部パネル１６との間の第１の傾斜パネル１４に沿って設けられており、さらなる３つの物品保持装置Ｌ４、Ｌ５、Ｌ６は、第２の底パネル２４と第２の側部パネル２０との間の第２の傾斜パネル２２に沿って設けられる。
【００３９】
各物品保持装置Ｌ１、Ｌ２、Ｌ３、Ｌ４、Ｌ５、Ｌ６は、実質的に同じ構造である。物品保持装置Ｌ１、Ｌ２、Ｌ３、Ｌ４、Ｌ５、Ｌ６は、６番目の物品保持装置Ｌ６を参照して記載され、その拡大図が図１Ａに示される。
【００４０】
６番目の物品保持装置Ｌ６は、保護タブ５０及び一対の折り曲げ可能なフラップ５６、５８（保護フラップとも呼ばれる）を備え、これらの保護タブ及びフラップは、保護タブ５０及び一対の折り曲げ可能なフラップ５６、５８の変位によって部分的に形成された開口部内に部分的に配置された場合に物品「Ｃ」のヒール部分又は底部分を保護するのを手助けする。保護タブ５０及び一対の折り曲げ可能なフラップ５６、５８の各フラップ５６及び５８は、物品「Ｃ」が６番目の物品保持装置Ｌ６によって受容される場合に外部へ折り曲げられる。一対の折り曲げ可能なフラップ５６、５８のうち第１の折り曲げ可能なフラップ５６は、折り目線５７によって第２の傾斜パネル２２及び第２の側部パネル２０にヒンジ接続される。一対の折り曲げ可能なフラップ５６、５８のうち第２の折り曲げ可能なフラップ５８は、折り目線５９によって第２の傾斜パネル２２及び第２の側部パネル２０にヒンジ接続される。係止タブ５２は、折り目線５１によって第２の底パネル２４にヒンジ接続される。任意選択的に、折り目線５１は、弓形状である。折り目線５１の湾曲形状又は弓形状は、第２の底パネル２４の平面に戻るように係止タブ５２の弾性的な付勢を増加させるのに役立つ。この方法で、係止タブ５２は、６番目の物品保持装置Ｌ６が使用中である場合に、物品「Ｃ」の基部に対して付勢される。任意選択的な係止フラップ５４は、折り目線５３によって係止タブ５２にヒンジ接続される。係止フラップ５４は、係止フラップ５４の表面が６番目の物品保持装置Ｌ６によって受容された物品「Ｃ」の基部と接触して配置されることができるように係止タブ５２に対して折り曲げ可能である。係止タブ５２は、６番目の物品保持装置Ｌ６によって受容された物品「Ｃ」の基部内へ又は当該基部に関して係止タブ５２の折り曲げを容易にするための任意選択的な折り目線６１、６３を備えてもよい。図示された実施形態において、折り目線６１、６３は切断線によって規定される。係止フラップ５４は、ブランクの形態において保護タブ５０と係止フラップ５４との間の間隙が存在しないように弱化線又は切断線によって保護タブ５０から任意選択的に分離される。
【００４１】
次いで図２〜図６に図示されるようなキャリア９０の構造を参照すると、キャリア９０は、直線状機械において一連の連続的な折り曲げ動作によって形成されることができる。それによって、キャリア９０は、その完成された構造へ回転される又は反転させる必要がない。折り曲げ工程は以下に記載されたものに限定されず、特定の製造要件に従って変更されてもよい。
【００４２】
折り目線１３、１５、１７、１９、２１及び２３は、ブランク１０をキャリア９０に組み立てる組立を容易にするために事前に折られてもよく、又は事前に屈曲されてもよい。
【００４３】
事前に折られたブランク１０は、３つの物品「Ｃ」ずつ２列のきつく梱包された並んだ配置構成で配置された、集められた集団の６つの物品「Ｃ」の上部に配置されてもよい。上部パネル１８は、物品「Ｃ」の上部とオーバーレイ接触して配置される。第１及び第２の側部パネル１６、２０は、折り目線１７、１９に関して下向きに折り曲げられる。第１及び第２の側部パネル１６、２０は、集団において物品「Ｃ」と面接触関係になる。
【００４４】
第１及び第２の傾斜パネル１４、２２は、折り目線１５、２１に関して折り曲げられ、物品「Ｃ」のそれぞれの縁ＣＭに関して折り曲げられる。
【００４５】
第１及び第２の底パネル１２、２４は、折り目線１３、２３に関してそれぞれ折り曲げられ、互いに対して重複関係になる。第１及び第２の底パネル１２、２４が適切に重複すると、次いで、機械的ロッキング機構Ｍ１／Ｆ１は、第１及び第２の底パネル１２、２４を一緒に貼り付けるために展開され、それ故に、６つの物品「Ｃ」の集団に関してきつく巻き付かれたキャリア９０の形成を仕上げる。
【００４６】
端部閉鎖パネル３２ａ、３２ｂ、３４ａ、３４ｂは、複数の主要パネル１２、１４、１６、１８、２０、２２、２４によって形成された管状構造を部分的に閉鎖するために折り曲げられる。係止パネル２８ａ、２８ｂ、３８ａ、３８ｂはそれぞれ、第１の側部パネル１６又は第２の側部パネル２０の各１つと面接触関係になるように折り曲げられ、それらは第１の側部パネル１６又は第２の側部パネル２０にヒンジ接続される。係止パネル２８ａ、２８ｂ、３８ａ、３８ｂを折り曲げるのに応じて、ウェブパネル３０ａ、３０ｂ、３６ａ、３６ｂ及び端部閉鎖パネル３２ａ、３２ｂ、３４ａ、３４ｂは、管状構造の開放端部を部分的に閉鎖する位置になるように折り曲げられる。端部閉鎖パネル３２ａ、３２ｂ、３４ａ、３４ｂのそれぞれは、一番端の物品「Ｃ」の各物品の上端を保持するように、キャリア９０内で一番端の物品「Ｃ」と係合する。
【００４７】
物品「Ｃ」は、物品保持装置Ｌ１、Ｌ２、Ｌ３、Ｌ４、Ｌ５、Ｌ６のそれぞれ内に受容される。一対の折り曲げ可能なフラップ５６、５８及び保護タブ５０は、各物品「Ｃ」の一部によってキャリア９０の外部へ変位される。係止タブ５２及び係止フラップ５４は、例えば係止タブ５２に対して押圧する工作機械によって、キャリア９０の内部へ折り曲げられる。
【００４８】
仕上げられた包装は、図２及び図３に示される。一対の折り曲げ可能なフラップ５６、５８及び保護タブ５０は、物品「Ｃ」の一部に関して延在しており、この物品「Ｃ」の一部は、一対の折り曲げ可能なフラップ５６、５８、保護タブ５０、及び係止タブ５２によって形成されたキャリア９０における開口部を通じて突出している。
【００４９】
一対の折り曲げ可能なフラップ５６、５８、保護タブ５０、係止タブ５２及び係止フラップ５４は、キャリア９０における開口部を完全に規定する。すなわち、物品保持装置Ｌ１、Ｌ２、Ｌ３、Ｌ４、Ｌ５、Ｌ６は、ブランク１０が折り曲げられていない場合に、孔又は切り落とし部（ｃｕｔａｗａｙ）を含んでいない。この方法において、物品保持装置Ｌ１、Ｌ２、Ｌ３、Ｌ４、Ｌ５、Ｌ６を提供する結果として生み出された小片又は廃材が存在しない。このことは、特に物品「Ｃ」の集団に関するキャリア９０になるようにブランク１０の構造を自動化する機械に廃品材料が捕獲された状態になり、そのような廃品材料がキャリア９０の組立を妨げる場合があるので、有利である。例えば、そのような廃品材料は、ホッパーからブランク１０を不適切に送り込まれる状態に導く場合があり、それにより、２つ以上のブランク１０が絡まった状態にさせる。
【００５０】
図５は、キャリア９０の一部の下からの図を示す。物品「Ｃ」は、キャリア９０になるように係止タブ５２及び係止フラップ５４を折り曲げることによって形成された開口部を通じて視認可能である。物品「Ｃ」は、物品「Ｃ」の側壁Ｗと基部Ｂとの間の縁ＣＭを備える。基部Ｂは凹んでおり、実質的に皿形状である。基部Ｂのまわりの突起部は、物品「Ｃ」を置く座部Ｓを形成する。係止タブ５２及び係止フラップ５４は、物品「Ｃ」の基部Ｂに配置されるように折り目線５１に関して折り曲げられている。
【００５１】
図６は、図５において示された方向においてラインＸ−Ｘに沿った切断図を示す。基部Ｂのボウル形状又は皿形状は、明確に視認可能である。物品「Ｃ」の突起部は縁を形成しており、その縁に対して係止タブ５２が支えられることができる。係止フラップ５４は、外側表面が基部Ｂと面接触関係になるように、折り目線５３に関して折り曲げられる。保護タブ５０は、縁ＣＭに関して第２の側壁２０から延在するように示される。第２の傾斜パネル２２は、縁ＣＭに関して折り曲げられる。この方法方において、物品保持装置Ｌ１、Ｌ２、Ｌ３、Ｌ４、Ｌ５、Ｌ６は、キャリア９０内に物品「Ｃ」を固定し、物品「Ｃ」を保護する。
【００５２】
係止フラップ５４は、キャリア９０の中心に向けて係止タブ５２から延在するように折り目線５３に関して折り曲げられる。すなわち、係止フラップ５４は、係止タブ５２を折り曲げることによって形成された開口部から離れて延在する。この方法において、係止タブ５２は、図６に示されるように、物品「Ｃ」の基部Ｂの縁又は側壁に対して支持されることができる。係止フラップ５４は、キャリア９０が第１及び第２の基部パネル１２、２４から形成された複合的な底壁１２／２４上に静止して配置される場合に、基部パネル２４の一部の上に配置される。
【００５３】
図７〜図９を次いで参照すると、本願発明の代替的な実施形態が示される。第２の図示された実施形態において、同様の参照符号は、第２の実施形態に属するそれらの特徴を指し示すために、「１００」の接頭語の追加にもかかわらず、可能であれば同様の部品を示すために使用されている。この代替的な実施形態は、第１の実施形態と多くの共通の特徴を有しており、それ故に、図１〜図６に図示された実施形態との相違点のみが詳細に記載されるであろう。
【００５４】
図７を参照すると、ブランク１１０は、一連の主要なパネル１１２、１１４、１１６、１１８、１２０、１２２、１２４を備える。これらのパネルは、第１の底パネル１１２、任意選択的な第１の傾斜パネル１１４、第１の側部パネル１１６、上部パネル１１８、第２の側部パネル１２０、任意選択的な第２の傾斜パネル１２２、及び第２の底パネル１２４を含む。主要なパネル１１２、１１４、１１６、１１８、１２０、１２２、１２４は、長手方向に延在する折り目線１１３、１１５、１１７、１１９、１２１及び１２３によって連続して隣同士でヒンジ接続される。
【００５５】
第１及び第２の底パネル１１２、１２４は、機械的ロッキング機構Ｆ１／Ｍ１のそれぞれである第１及び第２の部分Ｆ１、Ｍ１を備える。この機械的ロッキング機構Ｆ１／Ｍ１は、ブランク１１０が折り曲げられ、且つ複合的な底壁構造１１２／１２４を形成するためにキャリア１９０になるように形成される場合に、第１の底パネル１１２を第２の底パネル１２４に機械的に接合するのに役立つ。
【００５６】
ブランク１１０はまた、キャリア開放装置Ｔ１／Ｔ２を備えてもよい。このキャリア開放装置Ｔ１／Ｔ２は任意選択的に、上部パネル１１８に設けられており、一対の引裂き線Ｔ１、Ｔ２として任意選択的に形成される。この一対の引裂き線Ｔ１、Ｔ２は、引裂き線Ｔ１及びＴ２の間で引裂きストリップを規定する。他の実施形態において、任意選択的なキャリア開放装置Ｔ１／Ｔ２が全体的に省略されてもよいこと、又は、キャリア開放装置Ｔ１／Ｔ２が本願に示されるものと異なる形態、サイズ、形状、及び／又は位置を取ってもよいこと、及び／又は２つ以上のキャリア開放装置Ｔ１／Ｔ２が設けられてもよいことは予測される。任意選択的な折り目線Ｔ３は、引裂き開始タブＴ４を部分的に規定してもよく、引裂き開始タブＴ４からの引裂きストリップが上部パネル１１８から分離されてもよく、それによって、上部パネル１１８は容易に裂けることができ、きつく巻き付けられたキャリア１９０の張力を軽減し、キャリア９０内に保持された物品「Ｃ」にアクセスすることを可能にする。
【００５７】
ブランク１０はまた、物品「Ｃ」の底部と係合するための物品保持装置Ｌ１、Ｌ２、Ｌ３、Ｌ４、Ｌ５、Ｌ６を備える。ブランク１１０が３つの物品ずつ２列で６つの物品を保持するためのキャリア１９０を形成するように構成される任意選択的な配置構成において、３つの物品保持装置Ｌ１、Ｌ２、Ｌ３は、第１の底パネル１１２と第１の側部パネル１１６との間の第１の傾斜パネル１１４に沿って設けられる。さらに、さらなる３つの物品保持装置Ｌ４、Ｌ５、Ｌ６は、第２の底パネル１２４と第２の側部パネル１２０との間の第２の傾斜パネル１２２に沿って設けられる。
【００５８】
各物品保持装置Ｌ１、Ｌ２、Ｌ３、Ｌ４、Ｌ５、Ｌ６は、実質的に同じ構造である。物品保持装置Ｌ１、Ｌ２、Ｌ３、Ｌ４、Ｌ５、Ｌ６は、６番目の物品保持装置Ｌ６を参照して記載され、その拡大図が図７Ａに示される。
【００５９】
６番目の物品保持装置Ｌ６は、保護タブ１５０及び一対の折り曲げ可能なフラップ１５６、１５８を備え、これらの保護タブ及びフラップは、保護タブ１５０及び一対の折り曲げ可能なフラップ１５６、１５８の変位によって部分的に形成された開口部内に部分的に配置された場合に、物品「Ｃ」のヒール部分又は底部分を保護するのを手助けする。保護タブ１５０及び一対の折り曲げ可能なフラップ１５６、１５８の各フラップ１５６、１５８は、物品「Ｃ」が６番目の物品保持装置Ｌ６によって受容された場合に外部へ折り曲げられる。第１の折り曲げ可能タブ１５６は、折り目線１５７によって第２の傾斜パネル１２２及び第２の側部パネル１２０にヒンジ接続される。第２の折り曲げ可能タブ１５８は、折り目線１５９によって第２の傾斜パネル１２２及び第２の側部パネル１２０にヒンジ接続される。係止タブ１５２は、折り目線１５１によって第２の底パネル１２４にヒンジ接続される。任意選択的に、折り目線１５１は、弓形状である。折り目線１５１の湾曲形状又は弓形状は、第２の底パネル１２４の平面に戻るように、係止タブ１５２の弾性的な付勢を増加させるのに役立つ。この方法において、係止タブ１５２は、６番目の物品保持装置Ｌ６が使用中である場合に、物品「Ｃ」の基部に対して付勢される。係止タブ１５２は、折り目線１５１から保護タブ１５０まで延在する。第１の実施形態に設けられた係止フラップ５４は、省略される。係止タブ１５２は、物品保持装置Ｌ６によって受容された物品「Ｃ」の基部内へ又は当該基部に関して係止タブ１５２の折り曲げを容易にするために、任意選択的な折り目線１６１、１６３を備えてもよい。図示された実施形態において、折り目線１６１、１６３は切断線によって規定される。
【００６０】
保護タブ１５０は、図１の第１の実施形態の保護タブ５０よりも長い。このことは、図８及び図９に示される。この方法で、保護タブ１５０は、物品「Ｃ」に対する増大した保護を示す。
【００６１】
様々な変更が本願発明の技術的範囲内で行われることは予測され得る。例えば、パネル及び孔のサイズ及び形状は、異なるサイズ又は形状の物品を収容するために調節されてもよい。
【００６２】
本願明細書で使用されるように、「ヒンジ接続」との用語及び「折り目線」との用語は、ブランクのヒンジ特徴を規定する、互いに対してブランクの一部を折り曲げることを容易にする、又はそうでなければ、ブランクのための最適なパネル折り曲げ位置を示すあらゆる種類の線について言及する。折り目線は一般的に、ミシン目線、エンボス線、又はデボス線である。「ヒンジ接続」又は「折り目線」に対する参照は必ずしも、単一の折り目線のみに言及するものとして解釈されるべきではない。実際には、ヒンジ接続が、本願発明の技術的範囲から逸脱することなく、短いスリット、壊れやすい線、又は折り目線のうちの１つ又は複数から形成されることができることは予想される。
【００６３】
本願明細書に使用されるように、「分離線」との用語は、互いから基板の一部を分離することを容易にする、又は最適な分離位置を示す、あらゆる種類の線について言及する。分離線は、壊れやすい線、又は、そうでなければ弱化線、引裂き線、切断線、又はスリットであってもよい。
【００６４】
ヒンジ接続、分離線、及び折り目線がそれぞれ、ミシン目、ミシン目線、短いスリットの線、ハーフカットの線、単一のハーフカットの線、切断線、遮られた切断線、スリット、切れ目、それらの組み合わせ、及び同様のものを含んでいる、ブランクの基板において形成される要素を含むことができることは、理解されるべきである。これらの要素は、所望された機能性を提供するために寸法決めされ、且つ配置されることができる。例えば、ミシン目線は、折り目線及び／又は分離線を規定するように、ある程度の弱さで寸法決めされることができ、又は設計されることができる。ミシン目線は、折り曲げを容易にし且つ破壊に耐える、折り曲げを容易にし且つより多くの努力をして破壊を容易にする、又は、より少ない努力をして破壊を容易にするように設計されることができる。
【００６５】
本願明細書に使用されるように、「巻き付き型キャリア」との用語は一般的に、開放端部を有する略スリーブ型構造を形成する４つの主要な壁（上部、第１の側部、底部、及び第２の側部）を有するキャリアについて言及する。物品の集団は、きつく組み立てられた複合的な上壁又は複合的な底壁によって物品の集団に関して適所に保持されるキャリアによってきつく巻き付けられる。
【符号の説明】
【００６６】
Ａ１、Ａ２、Ａ３、Ａ４、Ａ５、Ａ６、Ａ７、Ａ８  孔
Ｆ１／Ｍ１  機械的ロッキング機構
Ｆ１  第１の部分
Ｍ１  第２の部分
Ｈ１／Ｈ２  把持装置
Ｌ１、Ｌ２、Ｌ３、Ｌ４、Ｌ５、Ｌ６  物品保持装置
Ｔ１／Ｔ２  キャリア開放装置
Ｔ１、Ｔ２  一対の引裂き線
Ｔ３  折り目線
Ｔ４  引裂き開始タブ
１０  ブランク
１２  第１の底パネル、第１の基部パネル
１３  折り目線
１４  第１の傾斜パネル
１５  折り目線
１６  第１の側部パネル
１７  折り目線
１８  上部パネル
１９  折り目線
２０  第２の側壁、第２の側部パネル
２１  折り目線
２２  第２の傾斜パネル
２３  折り目線
２４  第２の底パネル、第２の基部パネル
２７  折り目線
２８ａ  第１の係止パネル
２８ｂ  第３の係止パネル
２９ａ  折り目線
３０ａ  第１のウェブパネル
３０ｂ  第３のウェブパネル
３１  折り目線
３２ａ  第１の端部閉鎖パネル
３２ｂ  第３の端部閉鎖パネル
３３  折り目線
３４ａ  第２の端部閉鎖パネル
３４ｂ  第４の端部閉鎖パネル
３５  切断線
３６ａ第４のウェブパネル
３６ｂ  第２のウェブパネル
３７  折り目線
３８ａ  第２の係止パネル
３８ｂ  第４の係止パネル
３９  折り目線
４０  ヒンジ線
４１ａ  折り目線
４２  フィンガータブ
４３  切断線
４４、４５、４６  折り目線
４８  切断線
５０  保護タブ
５１  折り目線
５２  係止タブ
５３  折り目線
５４  係止フラップ
５６、５８  折り曲げ可能なフラップ、保護フラップ
５７、５９、６１、６３  折り目線
９０  巻き付き型キャリア、キャリア
１１０  ブランク
１１２  第１の底パネル
１１３  折り目線
１１４  第１の傾斜パネル
１１５  折り目線
１１６  第１の側部パネル
１１７  折り目線
１１８  上部パネル
１１９  折り目線
１２０  第２の側部パネル
１２１  折り目線
１２２  任意選択的な第２の傾斜パネル
１２４  第２の底パネル
１５０  保護タブ
１５１  折り目線
１５２  係止タブ
１５６  第１の折り曲げ可能タブ
１５７  折り目線
１５８  第２の折り曲げ可能タブ
１５９  折り目線
１６１  折り目線
１６３  折り目線
１９０  キャリア
【図１】
2016124605.tif 000003
【図１Ａ】
2016124605.tif 000004
【図２】
2016124605.tif 000005
【図３】
2016124605.tif 000006
【図４】
2016124605.tif 000007
【図５】
2016124605.tif 000008
【図６】
2016124605.tif 000009
【図７】
2016124605.tif 000010
【図７Ａ】
2016124605.tif 000011
【図８】
2016124605.tif 000012
【図９】
2016124605.tif 000013
【外国語明細書】
2016124605000001.pdf